(57)【要約】【課題】  アナログテレビジョン信号と特定のチャンネル中のセグメントに配置されたデジタルテレビジョン信号とをそれぞれ復調する各復調部までを含めたテレビジョンチューナをコンパクトに構成する。【解決手段】  アナログ中間周波ブロック５０は、少なくとも音声中間周波信号が入力される４．５ＭＨｚ検波回路５４と、映像検波用及び４．５ＭＨｚ検波用の発振信号を出力する発振器５６とを有し、デジタルのテレビジョン信号の受信時にはデジタルの中間周波信号と発振信号とを４．５ＭＨｚ検波回路５４に入力してデジタルの中間周波信号を４．５ＭＨｚにダウンコンバートし、ダウンコンバートされたデジタルの中間周波信号をデジタル中間周波ブロック６０に入力した。【選択図】        図１
2006033051.tif 000002
【特許請求の範囲】
【請求項１】
受信したアナログのテレビジョン信号又はチャンネル帯域内の特定のセグメントに配置されたデジタルのテレビジョン信号を選択して中間周波信号に周波数変換する選局ブロックと、アナログの前記中間周波信号を復調して映像信号及び音声信号を出力するアナログ中間周波ブロックと、デジタルの前記中間周波信号を復調するデジタル中間周波ブロックとを備え、前記アナログ中間周波ブロックは、少なくとも音声中間周波信号が入力される４．５ＭＨｚ検波回路と、映像検波用及び４．５ＭＨｚ検波用の発振信号を出力する発振器とを有し、前記デジタルのテレビジョン信号の受信時には前記デジタルの中間周波信号と前記発振信号とを前記４．５ＭＨｚ検波回路に入力して前記デジタルの中間周波信号を４．５ＭＨｚにダウンコンバートし、ダウンコンバートされた前記デジタルの中間周波信号を前記デジタル中間周波ブロックに入力したことを特徴とするアナログデジタル共用テレビジョンチューナ。
【請求項２】
前記選局ブロックによって前記デジタルのテレビジョンを音声中間周波数に周波数変換し、前記デジタルのテレビジョン信号の受信時には前記発振器を映像中間周波数で発振させたことを特徴とする請求項１に記載のアナログデジタル共用テレビジョンチューナ。
【請求項３】
前記選局ブロックには選局用のＰＬＬ回路と前記ＰＬＬ回路に基準信号を供給する基準発振器とを設け、前記デジタルの中間周波ブロックにはミキサとその後段に接続されたデジタル復調器とを設け、前記ダウンコンバートされた前記デジタルの中間周波信号と前記基準信号とを前記ミキサに入力して前記デジタルの中間周波信号を更にダウンコンバートしたことを特徴とする請求項１又は２に記載のアナログデジタル共用テレビジョンチューナ。
【請求項４】
前記ミキサに入力する前記基準信号の周波数を４ＭＨｚとしたことを特徴とする請求項３に記載のアナログデジタル共用テレビジョンチューナ。
【請求項５】
前記アナログ中間周波ブロックには映像検波回路と第１及び第２の帯域通過フィルタとを設け、前記選局ブロックから出力される前記中間周波信号のうち、映像中間周波信号を前記第一の帯域通過フィルタを介して前記映像検波回路に入力し、音声中間周波信号とデジタルの前記中間周波信号とを前記第二の帯域通過フィルタを介して前記４．５ＭＨｚ検波回路に入力したことを特徴とする請求項１乃至４の何れかに記載のアナログデジタル共用テレビジョンチューナ。
【発明の詳細な説明】
【技術分野】
【０００１】
本発明は、デジタル変調されたテレビジョン信号とアナログ変調されたテレビジョン信号とを選択的に受信するデジタルアナログ共用のテレビジョンチューナに関する。
【背景技術】
【０００２】
この種の従来のテレビジョンチューナ１１を図２に示す。入力端子１２に「供給されたＲＦ信号は、アッテネータ１３によって所定のレベル範囲に制限された後、ＲＦ増幅回路１４により増幅されて第１の周波数変換回路１５に供給される。第１の周波数変換回路１５は、ＶＣＯ１６から出力される第１の局部発振信号によってＲＦ信号を第１中間周波信号に変換する。ＶＣＯ１６は分周回路１８、位相比較回路１９、チャージポンプ回路２１、ループフィルタ２２からなるＰＬＬ回路によって発振周波数が制御される。
【０００３】
第１の周波数変換回路１５から出力される第１の中間周波信号は、ＢＰＦ２４によりフィルタリングされ、ＩＦ増幅回路２５で増幅された後、ＢＰＦ２６を介して第２の周波数変換回路２７に供給される。第２の周波数変換回路２７は、ＶＣＯ２８から出力される第２の局部発振信号によって第１の中間周波信号を第２の中間周波信号に変換する。ＶＣＯ２８は、分周回路３３、位相比較回路３４、チャージポンプ３６、ループフィルタ３７からなるＰＬＬ回路によって発振周波数が制御される。
【０００４】
第２の周波数変換回路２７から出力される第２の中間周波信号は、分配回路３８に供給され、テレビジョンチューナ１１に設置された同軸型の出力端子２９とピン型の出力端子３９とに供給される。同軸型の出力端子２９に供給された第２の中間周波信号は、同軸ケーブル３０を介してアナログ復調回路３１に供給される。また、ピン型の出力端子３９は、印刷配線板４０に形成された回路パターン４１に半田４２によって接続される。回路パターン４１には、デジタル復調回路４３に設けられたピン型の入力端子４４が半田４５によって接続されている。ピン型の出力端子３９に供給された第２の中間周波信号は、印刷配線板４０の回路パターン４１を介してデジタル復調回路４３に供給され復調処理される（例えば、特許文献１参照。）。
【０００５】
【特許文献１】特開平０８−２８９２２１号公報（図４）
【発明の開示】
【発明が解決しようとする課題】
【０００６】
従来構成では、第２の中間周波信号をデジタル復調回路４３に入力して復調するので、復調の際のサンプリング周波数が高くなり、高調波やノイズの問題で不利であった。また、周波数を下げてから復調するためには、デジタル復調回路４３内には発振回路や周波数変換手段を構成しなければならず、デジタル復調回路４３の構成が複雑になるという問題があった。
【０００７】
本発明は、アナログテレビジョン信号と特定のチャンネル中のセグメントに配置されたデジタルテレビジョン信号とをそれぞれ復調する各復調部までを含めたテレビジョンチューナをコンパクトに構成することを目的とする。
【課題を解決するための手段】
【０００８】
上記課題を解決するため、本発明は、受信したアナログのテレビジョン信号又はチャンネル帯域内の特定のセグメントに配置されたデジタルのテレビジョン信号を選択して中間周波信号に周波数変換する選局ブロックと、アナログの前記中間周波信号を復調して映像信号及び音声信号を出力するアナログ中間周波ブロックと、デジタルの前記中間周波信号を復調するデジタル中間周波ブロックとを備え、前記アナログ中間周波ブロックは、少なくとも音声中間周波信号が入力される４．５ＭＨｚ検波回路と、映像検波用及び４．５ＭＨｚ検波用の発振信号を出力する発振器とを有し、前記デジタルのテレビジョン信号の受信時には前記デジタルの中間周波信号と前記発振信号とを前記４．５ＭＨｚ検波回路に入力して前記デジタルの中間周波信号を４．５ＭＨｚにダウンコンバートし、ダウンコンバートされた前記デジタルの中間周波信号を前記デジタル中間周波ブロックに入力した。
【０００９】
また、前記選局ブロックによって前記デジタルのテレビジョンを音声中間周波数に周波数変換し、前記デジタルのテレビジョン信号の受信時には前記発振器を映像中間周波数で発振させた。
【００１０】
また、前記選局ブロックには選局用のＰＬＬ回路と前記ＰＬＬ回路に基準信号を供給する基準発振器とを設け、前記デジタルの中間周波ブロックにはミキサとその後段に接続されたデジタル復調器とを設け、前記ダウンコンバートされた前記デジタルの中間周波信号と前記基準信号とを前記ミキサに入力して前記デジタルの中間周波信号を更にダウンコンバートした。
【００１１】
また、前記ミキサに入力する前記基準信号の周波数を４ＭＨｚとした。
【００１２】
また、前記アナログ中間周波ブロックには映像検波回路と第１及び第２の帯域通過フィルタとを設け、前記選局ブロックから出力される前記中間周波信号のうち、映像中間周波信号を前記第一の帯域通過フィルタを介して前記映像検波回路に入力し、音声中間周波信号とデジタルの前記中間周波信号とを前記第二の帯域通過フィルタを介して前記４．５ＭＨｚ検波回路に入力した。
【発明の効果】
【００１３】
請求項１の発明によれば、アナログ中間周波ブロックは、少なくとも音声中間周波信号が入力される４．５ＭＨｚ検波回路と、映像検波用及び４．５ＭＨｚ検波用の発振信号を出力する発振器とを有し、デジタルのテレビジョン信号の受信時にはデジタルの中間周波信号と発振信号とを４．５ＭＨｚ検波回路に入力してデジタルの中間周波信号を４．５ＭＨｚにダウンコンバートし、ダウンコンバートされたデジタルの中間周波信号をデジタル中間周波ブロックに入力したので、デジタル復調が容易であり、高調波等の妨害も発生しにくくなる。また、アナログ中間周波ブロックを利用してダウンコンバートするので構成が簡素化できる。
【００１４】
また、請求項２の発明によれば、選局ブロックによってデジタルのテレビジョンを音声中間周波数に周波数変換し、デジタルのテレビジョン信号の受信時には発振器を映像中間周波数で発振させたので、４．５ＭＨｚにダウンコンバートするのが簡単である。
【００１５】
また、請求項３の発明によれば、選局ブロックには選局用のＰＬＬ回路とＰＬＬ回路に基準信号を供給する基準発振器とを設け、デジタルの中間周波ブロックにはミキサとその後段に接続されたデジタル復調器とを設け、ダウンコンバートされたデジタルの中間周波信号と基準信号とをミキサに入力してデジタルの中間周波信号を更にダウンコンバートしたので、デジタル復調が一層容易であり、高調波等の妨害も発生しにくくなる。
【００１６】
また、請求項４の発明によれば、ミキサに入力する基準信号の周波数を４ＭＨｚとしたので、デジタル復調器には０．５ＭＨｚにダウンコンバートされたデジタルのテレビジョン信号を入力できる。また、消費電力の少ない１セグメント専用のデジタル復調器が利用できる。
【００１７】
また、請求項５の発明によれば、アナログ中間周波ブロックには映像検波回路と第１及び第２の帯域通過フィルタとを設け、選局ブロックから出力される中間周波信号のうち、映像中間周波信号を第一の帯域通過フィルタを介して映像検波回路に入力し、音声中間周波信号とデジタルの中間周波信号とを第二の帯域通過フィルタを介して４．５ＭＨｚ検波回路に入力したので、アナログテレビジョン信号の受信時に使用する第二の帯域通過フィルタをデジタルテレビジョン信号の受信時にも兼用でき、回路構成の小型化が図れる。
【発明を実施するための最良の形態】
【００１８】
以下、図１を参照して本発明のアナログデジタル共用テレビジョンチューナを説明する。選局ブロック１０は入力端子１に接続された入力同調回路２と、入力同調回路２に順次縦続接続された高周波増幅器３、段間同調回路４、第１のミキサ５及び中間周波増幅器６と、第１のミキサ５に局部発振信号を供給する局部発振器７と、入力同調回路１及び段間同調回路４の同調周波数と局部発振器７の発振周波数とを制御するＰＬＬ回路８と、ＰＬＬ回路８に４ＭＨｚの基準信号を供給する基準発振器９とを有する。この構成は通常のテレビジョンチューナと基本的には同じであり、入力端子１には、アナログテレビジョン信号又は特定のチャンネルの帯域のほぼ中心周波数に近い位置に配列されている１セグメント（帯域は４３０ＫＨｚ）のデジタルテレビジョン信号とが入力される。
【００１９】
上記選局ブロック１において、ＰＬＬ回路８にはテレビジョン受信機本体側から選局データが入力されると共に、局部発振器７から局部発振信号が入力される。そして、ＰＬＬ回路８から出力された制御電圧が入力同調回路２及び段間同調回路４と局部発振器７とに供給されて同調周波数と発振周波数とが制御される。
【００２０】
そして、アナログテレビジョン信号は第１のミキサ５によって映像中間周波信号と音声中間周波信号とを含むアナログ中間周波数信号に変換され、デジタルテレビジョン信号は音声中間周波に変換される。声中間周波数に変換されたデジタルテレビジョン信号を便宜上デジタル中間周波信号という。国内のテレビジョンシステムでは映像中間周波数は５８．７５ＭＨｚ、音声中間周波は５４．２５ＭＨｚである。
【００２１】
中間周波増幅器６から出力されるアナログ中間周波信号及びデジタル中間周波信号はアナログ中間周波ブロック５０に入力される。アナログ中間周波ブロック５０には、映像中間周波信号を通過する第１の帯域通過フィルタ（ＳＡＷフィルタ）５１と、その後段に設けられたビデオ検波回路５２と、音声中間周波信号又はデジタル中間周波信号を通過する第２の帯域通過フィルタ（ＳＡＷフィルタ）５３と、その後段に設けられた４．５ＭＨｚ検波回路５４と、４．５ＭＨｚ検波回路の次段に設けられたＦＭ復調回路５５と、映像検波回路５２と４．５ＭＨｚ検波回路５４とに局部発振信号を供給するＶＣＯ（電圧制御発振器）５６等を有する。
【００２２】
また、アナログ中間周波ブロック５０には、第１の帯域通過フィルタ５１を通過した映像中間周波信号とＶＣＯ５６からの局部発振信号とが入力されるＡＰＣ回路（自動位相制御回路）５７と、ＡＰＣ回路５７から出力される制御電圧と直流電圧Ｅとを切り替えてＶＣＯ５６に供給するスイッチ５８とが設けられる。
【００２３】
そして、アナログテレビジョン信号が受信される時には、ＡＰＣからの制御電圧がスイッチ５８を介してＶＣＯ５６に供給され、ＶＣＯ５６は映像中間周波数の局部発振信号を出力する。従って、映像検波回路５２に入力された映像中間周波信号は同期検波され、映像検波回路５２からは映像信号が出力される。また、第２の帯域通過フィルタ５３を介して４．５ＭＨｚ検波回路５４に入力された音声中間周波信号は、ＶＣＯ５６からの局部発振信号によって４．５ＭＨｚにダウンコンバートされる。これは第２の音声中間周波信号と呼ばれ、後段のＦＭ検波回路５３によって音声に変換される。
【００２４】
また、デジタルテレビジョン信号が受信される時には映像中間周波信号が存在しないので、この場合にはＶＣＯ５６には、これが映像中間周波数で発振するように直流電圧Ｅがスイッチ５８を介して供給される。よって、デジタル中間周波信号も４．５ＭＨｚ検波回路５３によって４．５ＭＨｚにダウンコンバートされる。すなわち、デジタル中間周波信号は、アナログ中間周波ブロック５０に構成されているＶＣＯと４．５ＭＨｚ検波回路５４とを使用することによって４．５ＭＨｚにダウンコンバートされる。
【００２５】
４．５ＭＨｚにダウンコンバートされたデジタル中間周波信号はデジタル中間周波ブロック６０に入力される。デジタル中間周波ブロック６０には第２のミキサ６１とデジタル復調器６２と基準クロック源６３とが設けられる。第２のミキサ６１には４．５ＭＨｚにダウンコンバートされたデジタル中間周波信号と、選局ブロック１の基準発振器９から出力される基準信号とが入力され、第２のミキサ６１からは０．５ＭＨｚにダウンコンバートされたデジタル中間周波信号が出力され、これがデジタル復調器６２に入力される。
【００２６】
デジタル復調器６２には復調用のクロック信号が基準クロック源６３から供給される。デジタル復調器６２の内部には、Ａ／Ｄ変換回路、高速フーリエ変換回路、エラー訂正回路（何れも図示せず）が構成されており、デジタル復調回路６２からは、ＭＰＥＧ−２のＴＳ（Ｔｒａｎｓｐｏｒｔ  Ｓｔｒｅａｍ）が出力される。これを後段のＭＰＥＧデコーダ（図示せず）に供給することによって音声信号等に変換する。
【図面の簡単な説明】
【００２７】
【図１】本発明のアナログデジタル共用テレビジョンチューナの構成を示すブロック図である。
【図２】従来のアナログデジタル共用テレビジョンチューナの構成を示すブロック図である。
【符号の説明】
【００２８】
１：入力端子
２：入力同調回路
３：高周波増幅器
４：段間同調回路
５：第１のミキサ
６：中間周波増幅器
７：局部発振器
８：ＰＬＬ回路
９：基準発振器
１０：選局部
５０：アナログ中間周波ブロック
５１：第１の帯域通過フィルタ
５２：映像検波回路
５３：第２の帯域通過フィルタ
５４：４．５ＭＨｚ検波回路
５５：ＦＭ復調回路
５６：電圧制御発振器
５７：自動位相制御回路
５８：スイッチ
６０：デジタル中間周波ブロック
６１：第２のミキサ
６２：デジタル復調回路
６３：基準クロック源
【図１】
2006033051.tif 000003
【図２】
2006033051.tif 000004